(57)【特許請求の範囲】
【請求項１】
蓄電池と、
前記蓄電池に接続され、電力を直流と交流との間で互いに変換するパワーコンディショナと、
前記蓄電池を収容する第１収容体と、
前記パワーコンディショナを収容する第２収容体と、
前記第１収容体と前記第２収容体との間で空気を出入りさせる第１空気循環部と、
前記第１収容体内で空気を循環させる第２空気循環部と、
前記蓄電池の温度を測定する温度センサと、
前記温度センサによって測定された前記蓄電池の温度が第１閾値未満である場合には、前記第１空気循環部を稼働させ、前記蓄電池の温度が、前記第１閾値よりも高い第２閾値を超える場合には、前記第２空気循環部を稼働させる制御部と、
を備える蓄電池システム。
【請求項２】
前記蓄電池は、複数の蓄電池を含み、
前記温度センサは、前記複数の蓄電池における複数個所の温度を測定する複数の第１温度センサを含み、
前記制御部は、前記複数の第１温度センサによって測定された温度のうちの最高温度が、前記第１閾値未満である場合には、前記第１空気循環部を稼働させ、前記最高温度が、前記第２閾値を超える場合には、前記第２空気循環部を稼働させる、請求項１に記載の蓄電池システム。
【請求項３】
複数の蓄電池を含む蓄電池ユニットと、
前記複数の蓄電池に接続され、電力を直流と交流との間で互いに変換するパワーコンディショナと、
前記蓄電池ユニットを収容する第１収容体と、
前記パワーコンディショナを収容する第２収容体と、
前記蓄電池ユニットにおける複数個所の温度を測定する複数の第１温度センサと、
前記第２収容体内に設けられ、前記第２収容体内の温度を測定する第２温度センサと、
前記第１収容体と前記第２収容体との間で空気を出入りさせる第１空気循環部と、
前記第１収容体内で空気を循環させる第２空気循環部と、
前記複数の第１温度センサによって測定された温度のうちの最高温度または最低温度と前記第２温度センサによって測定された温度との差分と、前記最高温度との双方に基づいて、前記第１空気循環部および第２空気循環部の稼働を制御する制御部と、
を備える蓄電池システム。
【請求項４】
前記制御部は、前記最高温度が、第２閾値を超える場合に前記第２空気循環部を稼働させる、請求項３に記載の蓄電池システム。
【請求項５】
前記制御部は、前記最高温度が、第２閾値を超える場合に前記第２空気循環部を冷却設定で稼働させる、請求項３に記載の蓄電池システム。
【請求項６】
前記制御部は、前記最高温度が、前記第２閾値以下でありかつ第１閾値を超える場合には、前記第１空気循環部を停止させる、請求項４に記載の蓄電池システム。
【請求項７】
前記制御部は、前記最高温度が前記第１閾値以下でありかつ前記第２温度センサによって測定された温度と前記最高温度との差分が、第１差分閾値を超える場合には、前記第１空気循環部を稼働させ、前記最高温度が前記第１閾値以下でありかつ前記第２温度センサによって測定された温度と前記最高温度との差分が、前記第１差分閾値以下である場合には、前記第１空気循環部を停止させる、請求項６に記載の蓄電池システム。
【請求項８】
前記制御部は、前記第２温度センサによって測定された温度と前記最低温度との差分が、第２差分閾値未満である場合には、前記第２空気循環部を稼働させる、請求項７に記載の蓄電池システム。
【請求項９】
前記制御部は、前記第２温度センサによって測定された温度と前記最低温度との差分が、第２差分閾値未満である場合には、前記第２空気循環部を加熱設定で稼働させる、請求項７に記載の蓄電池システム。
【請求項１０】
前記制御部は、前記最高温度と前記最低温度との差分が、第３差分閾値を超える場合には、前記第２空気循環部を稼働させ、前記最高温度と前記最低温度との差分が、前記第３差分閾値未満である場合には、前記第２空気循環部を停止させる、請求項８又は請求項９に記載の蓄電池システム。
【請求項１１】
前記第１空気循環部は、
前記第１収容体から前記第２収容体に向けて空気を供給する第１空気供給部と、
前記第１空気供給部に対して、鉛直方向に関して上側に配置され、前記第２収容体から前記第１収容体に向けて空気を供給する第２空気供給部と、
を備える、請求項１から１０のいずれか一項に記載の蓄電池システム。
【請求項１２】
前記第１空気供給部は、
前記第１収容体から前記第２収容体に向けて空気を供給する第１ファンと、
前記第１ファンに取り付けられた開閉可能な第１ダンパーと、
を備え、
前記第２空気供給部は、
前記第２収容体から前記第１収容体に向けて空気を供給する第２ファンと、
前記第２ファンに取り付けられた開閉可能な第２ダンパーと、
を備える、請求項１１に記載の蓄電池システム。
【請求項１３】
前記第２ファンは、前記パワーコンディショナの上面を起点として鉛直方向に関して所定距離だけ下側の位置よりも高い位置に配置され、
前記第１ファンは、前記パワーコンディショナの高さ方向の中央位置より低い位置に配置される、請求項１２に記載の蓄電池システム。
【請求項１４】
蓄電池と、
前記蓄電池に接続され、電力を直流と交流との間で互いに変換するパワーコンディショナと、
前記蓄電池を収容する第１収容体と、
前記パワーコンディショナを収容する第２収容体と、
前記第１収容体から前記第２収容体に向けて空気を供給する第１空気供給部と、
前記第１空気供給部に対して、鉛直方向に関して上側に配置され、前記第２収容体から前記第１収容体に向けて空気を供給する第２空気供給部と、
前記蓄電池の温度を測定する温度センサと、
前記温度センサによって測定された前記蓄電池の温度が閾値未満である場合に前記第１空気供給部および前記第２空気供給部を作動させる制御部と、
を備える蓄電池システム。
【発明の詳細な説明】
【技術分野】
【０００１】
本発明の実施形態は、蓄電池システムに関する。
【背景技術】
【０００２】
従来、電力系統、工場、ビルなどにおける出力電力の変動抑制或いはピークシフトなどを目的として、充放電可能な蓄電池を用いる蓄電池システムが知られている。この蓄電池システムに含まれる蓄電池は稼働状況に応じて温度が変動し、この温度変動は蓄電池の充電および放電効率に影響を及ぼす。このため、必要に応じてこの蓄電池を加熱または冷却する必要がある。しかしながら、従来の技術では、蓄電池の温度制御が十分に行われておらず、蓄電池の温度を適切な温度に制御することができない場合があった。
【先行技術文献】
【特許文献】
【０００３】
【特許文献１】特開２０１４−１８２９３４号公報
【特許文献２】特開２０１３−５４８８４号公報
【特許文献３】特開平０８−１４８１８８号公報
【特許文献４】特開２０１２−２５７３９４号公報
【発明の概要】
【発明が解決しようとする課題】
【０００４】
本発明が解決しようとする課題は、蓄電池の温度を適切な温度に制御することができる蓄電池システムを提供することである。
【課題を解決するための手段】
【０００５】
実施形態の蓄電池システムは、蓄電池と、パワーコンディショナと、第１収容体と、第２収容体と、第１空気循環部と、第２空気循環部と、温度センサと、制御部とを持つ。パワーコンディショナは、蓄電池に接続され、電力を直流と交流との間で互いに変換する。第１収容体は、蓄電池を収容する。第２収容体は、パワーコンディショナを収容する。第１空気循環部は、第１収容体と第２収容体との間で空気を出入りさせる。第２空気循環部は、第１収容体内で空気を循環させる。温度センサは、蓄電池の温度を測定する。制御部は、温度センサによって測定された蓄電池の温度が第１閾値未満である場合には、第１空気循環部を稼働させ、蓄電池の温度が、第１閾値よりも高い第２閾値を超える場合には、第２空気循環部を稼働させる。
【図面の簡単な説明】
【０００６】
【図１】第１の実施形態における、蓄電池システムの構成図。
【図２】第１の実施形態における、蓄電池ユニットとパワーコンディショナとの電気的な接続関係を示す図。
【図３】第１の実施形態における、制御部に入出力される信号と機能構成とを示す図。
【図４】第１の実施形態における、制御部の処理の流れの一例を示すフローチャート。
【図５】第１の実施形態における、制御部により実現される制御領域の一例を説明する図。
【図６】第１の実施形態における、制御部により実現される制御領域の他の例を説明する図。
【図７】第２の実施形態における、制御部が空気循環部と第１空調設備とを操作する場合の処理の流れの一例を示す説明するためのフローチャート。
【図８】第２の実施形態における、制御部により実現される空気循環部の制御領域の一例を説明する図。
【図９】第２の実施形態における、制御部が第１空調設備のエアコンディショナシステムを操作する場合の処理の流れの一例を示すフローチャート。
【図１０】第２の実施形態における、制御部により実現される第１空調設備のエアコンディショナシステムの制御領域を説明する図。
【図１１】第２の実施形態における、制御部が第１空調設備のサーキュレータを操作する場合の処理の流れの一例を示すフローチャート。
【図１２】第２の実施形態における、制御部により実現される第１空調設備のサーキュレータの制御領域を説明する図。
【発明を実施するための形態】
【０００７】
以下、実施形態の蓄電池システムを、図面を参照して説明する。
【０００８】
（第１の実施形態）
図１は、第１の実施形態における蓄電池システム１の構成図である。蓄電池システム１は、例えば、第１収容体１０と、第２収容体２０と、空気循環部３０（第１空気循環部）とを備える。空気循環部３０は、第１収容体１０と第２収容体２０との間に配置される。
【０００９】
第１収容体１０は、例えば、蓄電池ユニット１００と、第１空調設備１１０（第２空気循環部）とを収容する。蓄電池ユニット１００は、例えば、複数の蓄電池１０１と、制御部１０２とを備える。複数の蓄電池１０１は、例えば、それぞれ同じ構成を有する。複数の蓄電池１０１の各々は、充放電可能な二次電池である。複数の蓄電池１０１の各々には、蓄電池１０１の温度を測定するための第１温度センサ１０３が取り付けられている。この第１温度センサ１０３は、例えば、電池監視ユニット（CMU:Cell Monitoring Unit）の一部として構成されていてもよい。この場合、電池監視ユニットは、例えばマイクロコンピュータを含む。なお、蓄電池１０１のそれぞれに第１温度センサ１０３が取り付けられる形態はあくまで一例であり、複数の蓄電池１０１の内のいくつかの蓄電池１０１のみに第１温度センサ１０３が取り付けられてもよい。また、第１収容体１０内の空気の温度を測定するセンサをさらに設けてもよい。なお、第１の実施形態においては、制御部１０２が蓄電池ユニット１００内に設けられる構成を説明するが、制御部１０２の配置位置は任意である。制御部１０２は、例えば、第２収容体２０内、或いは第１収容体１０または第２収容体２０の外部に配置されてもよい。
【００１０】
制御部１０２は、空気循環部３０、第１空調設備１１０、および第２空調設備２１０のうち一部または全部の動作を制御する。制御部１０２の動作については後述する。第１空調設備１１０は、第１収容体１０内の空気の状態を調節する。第１空調設備１１０は、第１収容体１０内の空気を循環させるサーキュレータおよび第１収容体１０内の空気を冷却または加熱するエアコンディショナシステムを備える。
【００１１】
第２収容体２０は、例えば、パワーコンディショナ（PCS:Power Conditioning System）２００と、第２空調設備２１０と、第２温度センサ２２０とを収容する。ＰＣＳ２００は、電力を直流と交流との間で互いに変換する。第２空調設備２１０は、第２収容体２０内の空気の状態を調節する。第２空調設備２１０は、例えば、第２収容体２０内の空気を循環させるためのサーキュレータおよび第２収容体２０内の空気を冷却または加熱するためのエアコンディショナシステムを備える。第２温度センサ２２０は、第２収容体２０内の空気の温度を測定する。
【００１２】
空気循環部３０は、第１収容体１０と第２収容体２０との間で空気を出入りさせる。空気循環部３０は、例えば、第１収容体１０から第２収容体２０に向けて空気を供給する第１空気供給部３００と、第２収容体２０から第１収容体１０に向けて空気を供給する第２空気供給部３１０とを備える。第１空気供給部３００は、例えば、第１収容体１０から第２収容体２０に向けて空気を供給する第１ファン３０１と、第１ファン３０１に取り付けられた開閉可能な第１ダンパー３０２とを備える。第２空気供給部３１０は、例えば、第２収容体２０から第１収容体１０に向けて空気を供給する第２ファン３１１と、第２ファン３１１に取り付けられた開閉可能な第２ダンパー３１２とを備える。第１ファン３０１および第１ダンパー３０２は、例えば、第１収容体１０と第２収容体２０の双方に、位置を合わせて形成された孔部（第１孔部３０３）に取り付けられる。また、第１収容体１０と第２収容体２０とが一体に形成される場合、第１ファン３０１および第１ダンパー３０２は、第１収容体１０と第２収容体２０の隔壁に設けられた孔部（第１孔部３０３）に取り付けられる。第２ファン３１１および第２ダンパー３１２は、例えば、第１収容体１０と第２収容体２０の双方に、位置を合わせて形成された孔部（第２孔部３１３）に取り付けられる。また、第１収容体１０と第２収容体２０とが一体に形成される場合、第２ファン３１１および第２ダンパー３１２は、第１収容体１０と第２収容体２０の隔壁に設けられた孔部（第２孔部３１３）に取り付けられる。第２孔部３１３は、第１孔部３０３に対して、鉛直方向に関して上側に形成されている。この結果、第２ファン３１１および第２ダンパー３１２は、第１ファン３０１および第１ダンパー３０２に対して、鉛直方向に関して上側に形成されている。
【００１３】
第１ダンパー３０２が開かれている場合、第１ファン３０１を動作させることで第１収容体１０から第２収容体２０に向けて空気を通過させることが出来るが、第１ダンパー３０２が閉じられている場合、第１収容体１０から第２収容体２０に向けて空気を通過させることが出来ない。同様に、第２ダンパー３１２が開かれている場合、第２ファン３１１を動作させることで第２収容体２０から第１収容体１０に向けて空気を通過させることが出来るが、第２ダンパー３１２が閉じられている場合、第２収容体２０から第１収容体１０に向けて空気を通過させることが出来ない。第１ファン３０１、第２ファン３１１、およびＰＣＳ２００のより詳細な位置関係については後述する。
【００１４】
図２は、第１の実施形態における、蓄電池ユニット１００とＰＣＳ２００との電気的な接続関係を示す図である。図２に示すように、蓄電池ユニット１００は、直列に接続された複数の蓄電池１０１の一端に電池管理装置１０４（BMU:Battery Management Unit）が配置された複数の蓄電池サブユニット１２０−１から１２０−ｎを備える。複数の蓄電池サブユニット１２０−１から１２０−ｎは、ＰＣＳ２００に対して互いに並列に配置されている。ＢＭＵ１０４は、例えばマイクロコンピュータである。
【００１５】
ＰＣＳ２００は、例えば、太陽電池４００（PV:Photovoltaic cell）と、電力系統５００と、負荷６００とに接続されている。この結果、蓄電池１０１は、ＰＣＳ２００を介して、ＰＶ４００と、電力系統５００と、負荷６００と接続されている。蓄電池１０１が充電される場合、ＰＣＳ２００を介してＰＶ４００および／または電力系統５００から蓄電池１０１に電力が供給される。一方、蓄電池１０１が放電する場合、ＰＣＳ２００を介して蓄電池１０１から負荷６００に電力が供給される。なお、ＰＶ４００に代えて（或いは、加えて）風力発電機や地熱発電機などが接続されてもよい。
【００１６】
図３は、第１の実施形態における、制御部１０２に入出力される信号と、機能構成とを示す図である。制御部１０２は、例えば、前処理部１０２０と、主制御部１０２１とを備える。制御部１０２の各構成要素は、例えば、図示しないプログラムメモリに格納されたプログラムを、ＣＰＵ（Central Processing Unit）などのプロセッサが実行することにより実現される。また、制御部１０２の各構成要素は、ＬＳＩ（Large Scale Integration）やＡＳＩＣ（Application Specific Integrated Circuit）、ＦＰＧＡ（Field-Programmable Gate Array）などのハードウェアによって実現されてもよい。
【００１７】
前処理部１０２０には、複数の蓄電池１０１の各々に設けられた第１温度センサ１０３から蓄電池１０１の温度を示す信号Ｔｂが入力される。前処理部１０２０は、入力された信号Ｔｂの示す複数の温度の中から最低温度Ｔｂ＿ｍｉｎと最高温度Ｔｂ＿ｍａｘとを抽出して主制御部１０２１に出力する。前処理部１０２０は、最低温度Ｔｂ＿ｍｉｎおよび最高温度Ｔｂ＿ｍａｘを抽出する際に、平均値や分散値を考慮して、明らかにおかしい異常値を除外してもよい。
【００１８】
主制御部１０２１は、前処理部１０２０から入力された情報と第２温度センサ２２０から入力された第２収容体２０内の空気の温度（Ｔｐｃｓ）の情報に基づいて、空気循環部３０と、第１空調設備１１０と、第２空調設備２１０とのうち一部または全部の動作を制御するための信号を生成し、上記各設備に出力する。「入力された」とは便宜的な表現であり、ソフトウェア間の情報共有のために、メモリの共有領域に情報を書き込むことを意味してもよい。図３において、Ｂｆａｎ１は、第１ファン３０１をオン状態またはオフ状態に制御する信号である。Ｂｆａｎ２は、第２ファン３１１をオン状態またはオフ状態に制御する信号である。Ｂｄａｍｐ１は、第１ダンパー３０２を開状態または閉状態に制御する信号である。Ｂｄａｍｐ２は、第２ダンパー３１２を開状態または閉状態に制御する信号である。Ｔｒｅｆ＿ＡＣ１は、第１空調設備１１０に備えられるエアコンディショナシステムをオン状態またはオフ状態に制御する信号である。Ｔｒｅｆ＿ＡＣ２は、第２空調設備２１０に備えられるエアコンディショナシステムをオン状態またはオフ状態に制御する信号である。Ｂｃｉｒｃｕ１は、第１空調設備１１０に備えられるサーキュレータをオン状態またはオフ状態に制御する信号である。Ｂｃｉｒｃｕ２は、第２空調設備２１０に備えられるサーキュレータをオン状態またはオフ状態に制御する信号である。
【００１９】
図４から図６を参照して、第１の実施形態の制御部１０２の動作について説明する。図４は、第１の実施形態における、制御部１０２の処理の流れの一例を示すフローチャートである。本フローチャートの処理は、例えば、所定周期で繰り返し実行される。図５は、第１の実施形態における、制御部１０２により実現される制御領域の一例を説明する図である。
【００２０】
制御部１０２に設けられた前処理部１０２０は、複数の蓄電池１０１の各々に取り付けられた第１温度センサ１０３により出力された蓄電池の温度を取得する（ステップＳ１０１）。次に、前処理部１０２０は、複数の蓄電池１０１の温度の中から最高温度Ｔｂ＿ｍａｘを抽出し、主制御部１０２１に出力する（ステップＳ１０２）。
【００２１】
次に、主制御部１０２１は、前処理部１０２０から入力された最高温度Ｔｂ＿ｍａｘが、第１閾値Ｔｂ＿ｔｈ１未満であるか否かを判定する（ステップＳ１０３）。最高温度Ｔｂ＿ｍａｘが、第１閾値Ｔｂ＿ｔｈ１未満である場合、主制御部１０２１は、空気循環部３０を稼働させ、或いは稼働状態を維持させる（ステップＳ１０４）。第１閾値Ｔｂ＿ｔｈ１は予め定められた値であり、この最高温度Ｔｂ＿ｍａｘが第１閾値Ｔｂ＿ｔｈ１未満である領域は、図５に示す制御領域１に相当する。
空気循環部３０を稼働させる場合、主制御部１０２１は、第１ファン３０１をオン状態に設定する制御信号Ｂｆａｎ１を第１ファン３０１に出力し、第１ダンパー３０２を開くように制御する制御信号Ｂｄａｍｐ１を第１ダンパー３０２に出力する。さらに、主制御部１０２１は、第２ファン３１１をオン状態に設定する制御信号Ｂｆａｎ２を第２ファン３１１に出力し、第２ダンパー３１２を開くように制御する制御信号Ｂｄａｍｐ２を第２ダンパー３１２に出力する。
【００２２】
一方、最高温度Ｔｂ＿ｍａｘが、第１閾値Ｔｂ＿ｔｈ１以上である場合、主制御部１０２１は、空気循環部３０を停止させ、或いは停止状態を維持させる（ステップＳ１０５）。具体的に、主制御部１０２１は、第１ファン３０１をオフ状態に設定する制御信号Ｂｆａｎ１を第１ファン３０１に出力する。さらに、主制御部１０２１は、第２ファン３１１をオフ状態に設定する制御信号Ｂｆａｎ２を第２ファン３１１に出力する。この場合、主制御部１０２１は、第１ダンパー３０２を閉じるように制御する制御信号Ｂｄａｍｐ１を第１ダンパー３０２に出力し、第２ダンパー３１２を閉じるように制御する制御信号Ｂｄａｍｐ２を第２ダンパー３１２に出力してもよい。
【００２３】
次に、主制御部１０２１は、最高温度Ｔｂ＿ｍａｘが、第２閾値Ｔｂ＿ｔｈ２を超えるか否かを判定する（ステップＳ１０６）。この第２閾値Ｔｂ＿ｔｈ２は、上記の第１閾値Ｔｂ＿ｔｈ１よりも高い値に、予め設定されている。最高温度Ｔｂ＿ｍａｘが、第２閾値Ｔｂ＿ｔｈ２を超える場合、主制御部１０２１は、第１空調設備１１０を稼働させ、或いは稼働状態を維持させ（ステップＳ１０７）、本フローチャートの処理を終了する。この最高温度Ｔｂ＿ｍａｘが第２閾値Ｔｂ＿ｔｈ２を超える領域は、図５に示す制御領域２に相当する。
第１空調設備１１０を稼働させる場合、主制御部１０２１は、第１空調設備１１０に備えられるエアコンディショナシステムを冷却設定でオン状態に設定する制御信号Ｔｒｅｆ＿ＡＣ１をエアコンディショナシステムに出力し、および／または、第１空調設備１１０に備えられるサーキュレータをオン状態に設定する制御信号Ｂｃｉｒｃｕ１をサーキュレータに出力する。
【００２４】
一方、最高温度Ｔｂ＿ｍａｘが、第２閾値Ｔｂ＿ｔｈ２以下である場合、主制御部１０２１は、第１空調設備１１０を停止させ、或いは停止状態を維持させ、（ステップＳ１０８）、本フローチャートの処理を終了する。具体的に、主制御部１０２１は、第１空調設備１１０に備えられるエアコンディショナシステムをオフ状態に設定する制御信号Ｔｒｅｆ＿ＡＣ１をエアコンディショナシステムに出力し、および／または、第１空調設備１１０に備えられるサーキュレータをオフ状態に設定する制御信号Ｂｃｉｒｃｕ１をサーキュレータに出力する。
【００２５】
ここで、主制御部１０２１は、閾値に対してヒステリシスを設けてもよい。図６は、第１の実施形態における、制御部１０２により実現される制御領域の他の例を説明する図である。図６に示すように、主制御部１０２１は、空気循環部３０がオフ状態において前処理部１０２０から入力された最高温度Ｔｂ＿ｍａｘが第１下位閾値Ｔｂ＿ｔｈ１−１未満となった場合に空気循環部３０をオン状態に制御し、空気循環部３０がオン状態において最高温度Ｔｂ＿ｍａｘが第２下位閾値Ｔｂ＿ｔｈ１−２を超えた場合に空気循環部３０をオフ状態に制御してもよい。また、主制御部１０２１は、第１空調設備１１０がオフ状態において前処理部１０２０から入力された最高温度Ｔｂ＿ｍａｘが第１上位閾値Ｔｂ＿ｔｈ２−１を超えた場合に第１空調設備１１０をオン状態に制御し、第１空調設備１１０がオン状態において最高温度Ｔｂ＿ｍａｘが第２上位閾値Ｔｂ＿ｔｈ２−２未満となった場合に第１空調設備１１０をオフ状態に制御してもよい。これによって主制御部１０２１は、ハンチングを防止することができる。
【００２６】
上記のような制御によって、第１の実施形態における蓄電池システム１の充放電効率を向上させることができる。以下、その理由について説明する。
【００２７】
蓄電池システム１の充放電効率は、下式（１）に示すように、入力電力量に対する出力電力量の割合と定義され、空調設備の使用電力も充放電効率に影響する。電力量は、電力の時間積分を意味する。
充放電効率η＝出力電力量Ｗｈ＿ｏｕｔ／入力電力量Ｗｈ＿ｉｎ
出力電力量Ｗｈ＿ｏｕｔ＝放電電力量Ｗｈ＿ｄｉｓ−空調電力量Ｗｈ＿ａｉｒ
入力電力量Ｗｈ＿ｉｎ＝充電電力量Ｗｈ＿ｃｈａ＋空調電力量Ｗｈ＿ａｉｒ    （１）
【００２８】
蓄電池１０１の内部抵抗が大きい場合、蓄電池内部の抵抗による電力損失のため充放電効率ηは低下する。蓄電池１０１に蓄えられる電力量をＷｈ＿ｂａｔ、電池内部に流れる電流をＩ、内部抵抗をＲｂとすると、下式（２）が示される。
放電電力量Ｗｈ＿ｄｉｓ＝Ｗｈ＿ｂａｔ−Ｉ２＊Ｒｂ＊放電時間ｈｄ
Ｗｈ＿ｂａｔ＝充電電力量Ｗｈ＿ｃｈａ−Ｉ２＊Ｒｂ＊充電時間ｈｃ    （２）
【００２９】
蓄電池１０１の温度が低い場合、一般的に蓄電池の内部抵抗は大きくなるため、充放電効率を向上させるためには蓄電池１０１の温度が上げる必要がある。蓄電池１０１の内部抵抗を下げるためにエアコンディショナシステム等の空調設備を用いて蓄電池１０１の温度を上げる場合、空調設備の運転による電力損失が発生し、充放電効率が低下する要因となる。
【００３０】
第１の実施形態においては、上記のように、蓄電池１０１の温度を監視し、ある温度閾値（第１閾値）を下回った場合に、空気循環部３０を稼働させることで、ＰＣＳ２００が動作する際に損失として発生する熱を第２収容体２０から第１収容体１０に移動させる。このため、空調設備等を使用することなく、ＰＣＳ２００が動作する際に発生する熱を有効利用して蓄電池１０１の温度を上昇させ、蓄電池１０１の内部抵抗を下げることができる。また、蓄電池１０１の温度を上げるために、空調設備を利用する必要がないため、空調設備を利用する場合に比して電力使用量を低減させることができる。これらの結果、蓄電池システム１の充放電効率を向上させることができる。
【００３１】
一方、一般に、蓄電池の温度がある程度高くなると、蓄電池の劣化が促進される。第１の実施形態においては、上記のように、蓄電池１０１の温度を監視し、ある温度閾値（第２閾値）を超えた場合に、第１空調設備１１０を稼働させ、蓄電池１０１の温度を低下させることができる。これにより、蓄電池１０１の温度が過度に高くなることを防止することができる。なお、第２空調設備２１０は、制御部１０２によって、例えば、第２収容体２０内の温度（Ｔｐｃｓ）が過度に高くなった場合に、第２収容体２０内の温度を低下させるように制御される。
【００３２】
以下、第１ファン３０１と、第２ファン３１１と、ＰＣＳ２００との物理的配置について説明する。図１に示すように、第２ファン３１１は、第１ファン３０１に対して、鉛直方向に関して上側に配置される。また、ＰＣＳ２００の上部天板２００Ａを起点として、鉛直方向に関して−１ｍよりも上部に第２ファン３１１を配置し、鉛直方向に関してＰＣＳ２００の中央部２００Ｂよりも下部に第１ファン３０１を配置してもよい。第２収容体２０の内部では、ＰＣＳ２００の稼働によって生じる熱により温められた空気が第２収容体２０の上部に移動する。一方、第１収容体１０の内部の温度の低い空気は第１収容体１０の底面付近に移動する。このため、例えば、ＰＣＳ２００の上部天板２００Ａを起点として、鉛直方向に関して−１ｍよりも上部に第２ファン３１１を配置することで、第２収容体２０から第１収容体１０に向けて暖かい空気を効率的に移動させることができる。また、鉛直方向に関してＰＣＳ２００の中央部２００Ｂよりも下部に第１ファン３０１を配置することで、第１収容体１０から第２収容体２０に向けて温度の低い空気を効率的に移動させることが出来る。これにより、第１収容体１０内に収容された蓄電池１０１を効率的に温めることができる。また、ＰＣＳ２００の過熱を防ぐことができる。
【００３３】
以上説明した第１の実施形態の蓄電池システム１によれば、蓄電池１０１と、蓄電池１０１に接続され、電力を直流と交流との間で互いに変換するＰＣＳ２００と、蓄電池１０１を収容する第１収容体１０と、パワーコンディショナを収容する第２収容体２０と、第１収容体１０と第２収容体２０との間で空気を出入りさせる空気循環部３０と、第１収容体１０内で空気を循環させる第１空調設備１１０と、蓄電池１０１の温度を測定する第１温度センサ１０３と、第１温度センサ１０３によって測定された蓄電池１０１の温度が第１閾値未満である場合には、空気循環部３０を稼働させ、蓄電池１０１の温度が、第１閾値よりも高い第２閾値を超える場合には、第１空調設備１１０を稼働させる制御部１０２とを持つことにより、ＰＣＳ２００が動作する際に発生する熱を有効利用して蓄電池１０１の温度を上昇させるため、蓄電池システム１の充放電効率を向上させることができる。
【００３４】
また、第１の実施形態の蓄電池システム１によれば、蓄電池１０１の温度がある温度閾値を超えた場合に、第１空調設備１１０を稼働させ、蓄電池１０１の温度を低下させるため、蓄電池１０１の温度が過度に高くなることを防止することもできる。
【００３５】
（第２の実施形態）
以下、第２の実施形態について説明する。第１の実施形態と比較して、第２の実施形態に係る蓄電池システムは、制御部１０２が、空気循環部３０と、第１空調設備１１０と、第２空調設備２１０とのうち一部または全部を操作する制御方法が異なる。このため、構成などについては第１の実施形態で説明した図１並びに関連する記載を援用し、説明を省略する。
【００３６】
第２の実施形態において、制御部１０２は、最高温度Ｔｂ＿ｍａｘだけでなく、最低温度Ｔｂ＿ｍｉｎと第２収容体２０内の温度Ｔｐｃｓとに基づいて、空気循環部３０と、第１空調設備１１０と、第２空調設備２１０とのうち一部または全部の動作を制御する。
【００３７】
図７および図８を参照して、第２の実施形態の制御部１０２の動作について説明する。図７は、第２の実施形態における、制御部１０２が空気循環部３０と第１空調設備１１０とを操作する場合の処理の流れの一例を示すフローチャートである。本フローチャートの処理は、例えば、所定周期で繰り返し実行される。図８は、第２の実施形態における、制御部１０２により実現される制御領域を説明する図である。
【００３８】
制御部１０２に設けられた前処理部１０２０は、複数の蓄電池１０１の各々に取り付けられた第１温度センサ１０３により出力された蓄電池の温度を取得する（ステップＳ２０１）。前処理部１０２０は、複数の蓄電池１０１の温度の中から最高温度Ｔｂ＿ｍａｘを抽出し、主制御部１０２１に出力する（ステップＳ２０２）。
【００３９】
主制御部１０２１は、前処理部１０２０から入力された最高温度Ｔｂ＿ｍａｘの情報と、第２温度センサ２２０から入力された第２収容体２０内の空気の温度Ｔｐｃｓの情報とから、第２収容体２０内の空気の温度Ｔｐｃｓと最高温度Ｔｂ＿ｍａｘとの差分（第１差分Ｔｐｃｓ−Ｔｂ＿ｍａｘ）を算出する（ステップＳ２０３）。
【００４０】
次に、主制御部１０２１は、最高温度Ｔｂ＿ｍａｘが、第２最高温度閾値Ｔｂ２＿ｔｈ２を超えているか否かを判定する（ステップＳ２０４）。最高温度Ｔｂ＿ｍａｘが、第２最高温度閾値Ｔｂ２＿ｔｈ２を超えている場合、主制御部１０２１は、第１空調設備１１０に備えられるエアコンディショナシステムを冷却設定で稼働させ、或いは稼働状態を維持させ（ステップＳ２０５）、本フローチャートの処理を終了する。第２最高温度閾値Ｔｂ２＿ｔｈ２は予め定められた値であり、この最高温度Ｔｂ＿ｍａｘが、第２最高温度閾値Ｔｂ２＿ｔｈ２を超えている領域は、図８に示す制御領域３に相当する。
第１空調設備１１０に備えられるエアコンディショナシステムを冷却設定で稼働させる場合、主制御部１０２１は、エアコンディショナシステムを冷却設定でオン状態に設定する制御信号Ｔｒｅｆ＿ＡＣ１をエアコンディショナシステムに出力する。
【００４１】
最高温度Ｔｂ＿ｍａｘが、第２最高温度閾値Ｔｂ２＿ｔｈ２以下である場合、主制御部１０２１は、最高温度Ｔｂ＿ｍａｘが、第１最高温度閾値Ｔｂ２＿ｔｈ１を超えているか否かを判定する（ステップＳ２０６）。第１最高温度閾値Ｔｂ２＿ｔｈ１は、第２最高温度閾値Ｔｂ２＿ｔｈ２よりも低い値に、予め設定されている。最高温度Ｔｂ＿ｍａｘが第１最高温度閾値Ｔｂ２＿ｔｈ１を超えている場合、主制御部１０２１は、空気循環部３０を停止させ、或いは停止状態を維持させる（ステップＳ２０７）、本フローチャートの処理を終了する。この最高温度Ｔｂ＿ｍａｘが第１最高温度閾値Ｔｂ２＿ｔｈ１を超えている領域は、図８に示す制御領域４に相当する。
空気循環部３０を停止させる場合、主制御部１０２１は、第１ファン３０１をオフ状態に設定する制御信号Ｂｆａｎ１を第１ファン３０１に出力し、第１ダンパー３０２を閉じるように制御する制御信号Ｂｄａｍｐ１を第１ダンパー３０２に出力する。さらに、主制御部１０２１は、第２ファン３１１をオフ状態に設定する制御信号Ｂｆａｎ２を第２ファン３１１に出力し、第２ダンパー３１２を閉じるように制御する制御信号Ｂｄａｍｐ２を第２ダンパー３１２に出力する。
【００４２】
最高温度Ｔｂ＿ｍａｘが第１最高温度閾値Ｔｂ２＿ｔｈ１以下である場合、主制御部１０２１は、第１空調設備１１０に備えられかつ冷却設定で稼働しているエアコンディショナシステムを停止させ、或いは停止状態を維持させる（ステップＳ２０８）。第１空調設備１１０に備えられるエアコンディショナシステムを停止させる場合、主制御部１０２１は、エアコンディショナシステムをオフ状態に設定する制御信号Ｔｒｅｆ＿ＡＣ１をエアコンディショナシステムに出力する。
【００４３】
次に、主制御部１０２１は、第１差分Ｔｐｃｓ−Ｔｂ＿ｍａｘが第１差分閾値Ｔｄ＿ｔｈ１を超えているか否かを判定する（ステップＳ２０９）。第１差分Ｔｐｃｓ−Ｔｂ＿ｍａｘが第１差分閾値Ｔｄ＿ｔｈ１を超えている場合、主制御部１０２１は、空気循環部３０を稼働させ、或いは稼働状態を維持させ（ステップＳ２１０）、本フローチャートの処理を終了する。この第１差分Ｔｐｃｓ−Ｔｂ＿ｍａｘが第１差分閾値Ｔｄ＿ｔｈ１を超えている領域は、図８に示す制御領域５に相当する。空気循環部３０を稼働させる場合、主制御部１０２１は、第１ファン３０１をオン状態に設定する制御信号Ｂｆａｎ１を第１ファン３０１に出力し、第１ダンパー３０２を開くように制御する制御信号Ｂｄａｍｐ１を第１ダンパー３０２に出力する。さらに、主制御部１０２１は、第２ファン３１１をオン状態に設定する制御信号Ｂｆａｎ２を第２ファン３１１に出力し、第２ダンパー３１２を開くように制御する制御信号Ｂｄａｍｐ２を第２ダンパー３１２に出力する。
【００４４】
次に、第１差分Ｔｐｃｓ−Ｔｂ＿ｍａｘが第１差分閾値Ｔｄ＿ｔｈ１以下である場合、主制御部１０２１は、空気循環部３０を停止させ、或いは停止状態を維持させる（ステップＳ２１１）。この第１差分Ｔｐｃｓ−Ｔｂ＿ｍａｘが第１差分閾値Ｔｄ＿ｔｈ１以下である領域は、図８に示す制御領域６に相当する。空気循環部３０を停止させる場合、主制御部１０２１は、第１ファン３０１をオフ状態に設定する制御信号Ｂｆａｎ１を第１ファン３０１に出力し、第１ダンパー３０２を閉じるように制御する制御信号Ｂｄａｍｐ１を第１ダンパー３０２に出力する。さらに、主制御部１０２１は、第２ファン３１１をオフ状態に設定する制御信号Ｂｆａｎ２を第２ファン３１１に出力し、第２ダンパー３１２を閉じるように制御する制御信号Ｂｄａｍｐ２を第２ダンパー３１２に出力する。
【００４５】
主制御部１０２１は、上記の処理に加えて（或いは、代えて）、温度Ｔｐｃｓと最低温度Ｔｂ＿ｍｉｎとの差分と、最高温度Ｔｂ＿ｍａｘとに基づいて、第１空調設備１１０の制御を行う。図９は、第２の実施形態における、制御部１０２が第１空調設備１１０のエアコンディショナシステムを操作する場合の処理の流れの一例を示すフローチャートである。本フローチャートの処理は、例えば、所定周期で繰り返し実行される。図１０は、第２の実施形態における、制御部１０２により実現される第１空調設備１１０のエアコンディショナシステムの制御領域を説明する図である。
【００４６】
図９において、前処理部１０２０は、複数の蓄電池１０１の各々に取り付けられた第１温度センサ１０３により出力された蓄電池の温度を取得する（ステップＳ３０１）。前処理部１０２０は、複数の蓄電池１０１の温度の中から最低温度Ｔｂ＿ｍｉｎを抽出し、主制御部１０２１に出力する（ステップＳ３０２）。
【００４７】
次に、主制御部１０２１は、前処理部１０２０から入力された最低温度Ｔｂ＿ｍｉｎの情報と、第２温度センサ２２０から入力された第２収容体２０内の空気の温度Ｔｐｃｓの情報とから、第２収容体２０内の空気の温度Ｔｐｃｓと最低温度Ｔｂ＿ｍｉｎとの差分（第２差分Ｔｐｃｓ−Ｔｂ＿ｍｉｎ）を算出する（ステップＳ３０３）。
【００４８】
次に、主制御部１０２１は、最高温度Ｔｂ＿ｍａｘが第３最高温度閾値Ｔｂ２＿ｔｈ３を超えているか否かを判定する（ステップＳ３０４）。最高温度Ｔｂ＿ｍａｘが第３閾値Ｔｂ２＿ｔｈ３を超えている場合、主制御部１０２１は、第１空調設備１１０に備えられかつ加熱設定で稼働しているエアコンディショナシステムを停止させ、或いは停止状態を維持させ（ステップＳ３０５）、本フローチャートの処理を終了する。第１空調設備１１０に備えられるエアコンディショナシステムを停止させる場合、主制御部１０２１は、エアコンディショナシステムをオフ状態に設定する制御信号Ｔｒｅｆ＿ＡＣ１をエアコンディショナシステムに出力する。
【００４９】
次に、主制御部１０２１は、最高温度Ｔｂ＿ｍａｘが第４最高温度閾値Ｔｂ２＿ｔｈ４未満であるか否かを判定する（ステップＳ３０６）。最高温度Ｔｂ＿ｍａｘが第４最高温度閾値Ｔｂ２＿ｔｈ４以上である場合、本フローチャートの処理を終了する。一方、最高温度Ｔｂ＿ｍａｘが第４最高温度閾値Ｔｂ２＿ｔｈ４未満である場合、主制御部１０２１は、第２差分Ｔｐｃｓ−Ｔｂ＿ｍｉｎが第２差分閾値Ｔｄ＿ｔｈ２未満であるか否かを判定する（ステップＳ３０７）。この第２差分Ｔｐｃｓ−Ｔｂ＿ｍｉｎが第２差分閾値Ｔｄ＿ｔｈ２未満である領域は、図１０に示す制御領域７に相当する。第２差分Ｔｐｃｓ−Ｔｂ＿ｍｉｎが第２差分閾値Ｔｄ＿ｔｈ２未満である場合、主制御部１０２１は、第１空調設備１１０に備えられるエアコンディショナシステムを加熱設定で稼働させ（ステップＳ３０８）、本フローチャートの処理を終了する。第１空調設備１１０に備えられるエアコンディショナシステムを加熱設定で稼働させる場合、主制御部１０２１は、エアコンディショナシステムを加熱設定でオン状態に設定する制御信号Ｔｒｅｆ＿ＡＣ１をエアコンディショナシステムに出力する。一方、第２差分Ｔｐｃｓ−Ｔｂ＿ｍｉｎが第２差分閾値Ｔｄ＿ｔｈ２以上である場合、本フローチャートの処理を終了する。
【００５０】
主制御部１０２１は、上記の処理に加えて（或いは、代えて）、最高温度Ｔｂ＿ｍａｘと最低温度Ｔｂ＿ｍｉｎとの差分と、最高温度Ｔｂ＿ｍａｘとに基づいて、第１空調設備１１０の制御を行う。図１１は、第２の実施形態における、制御部１０２が第１空調設備１１０のサーキュレータを操作する場合の処理の流れの一例を示すフローチャートである。本フローチャートの処理は、例えば、所定周期で繰り返し実行される。図１２は、第２の実施形態における、制御部１０２により実現される第１空調設備のサーキュレータの制御領域を説明する図である。
【００５１】
図１１において、前処理部１０２０は、複数の蓄電池１０１の各々に取り付けられた第１温度センサ１０３により出力された蓄電池の温度を取得する（ステップＳ４０１）。前処理部１０２０は、複数の蓄電池１０１の温度の中から最高温度Ｔｂ＿ｍａｘと最低温度Ｔｂ＿ｍｉｎとを抽出し、主制御部１０２１に出力する（ステップＳ４０２）。
【００５２】
次に、主制御部１０２１は、前処理部１０２０から入力された最高温度Ｔｂ＿ｍａｘと最低温度Ｔｂ＿ｍｉｎとの情報と、第２温度センサ２２０から入力された第２収容体２０内の空気の温度Ｔｐｃｓの情報とから、最高温度Ｔｂ＿ｍａｘと最低温度Ｔｂ＿ｍｉｎとの差分（第３差分Ｔｂ＿ｍａｘ−Ｔｂ＿ｍｉｎ）を算出する（ステップＳ４０３）。
【００５３】
次に、主制御部１０２１は、第３差分Ｔｂ＿ｍａｘ−Ｔｂ＿ｍｉｎが第３差分閾値Ｔｄ＿ｔｈ３を超えているか否かを判定する（ステップＳ４０４）。第３差分Ｔｂ＿ｍａｘ−Ｔｂ＿ｍｉｎが第３差分閾値Ｔｄ＿ｔｈ３を超えている場合、主制御部１０２１は、第１空調設備１１０に備えられるサーキュレータを稼働させ（ステップＳ４０６）、本フローチャートの処理を終了する。この第３差分Ｔｂ＿ｍａｘ−Ｔｂ＿ｍｉｎが第３差分閾値Ｔｄ＿ｔｈ３を超えている領域は、図１２に示す制御領域８に相当する。第１空調設備１１０に備えられるサーキュレータを稼働させる場合、主制御部１０２１は、サーキュレータをオン状態に設定する制御信号Ｂｃｉｒｃｕ１をサーキュレータに出力する。
【００５４】
一方、第３差分Ｔｂ＿ｍａｘ−Ｔｂ＿ｍｉｎが第３差分閾値Ｔｄ＿ｔｈ３以下である場合、主制御部１０２１は、第１空調設備１１０に備えられるサーキュレータを停止させ、或いは停止状態を維持させ（ステップＳ４０５）、本フローチャートの処理を終了する。この第３差分Ｔｂ＿ｍａｘ−Ｔｂ＿ｍｉｎが第３差分閾値Ｔｄ＿ｔｈ３以下である領域は、図１２に示す制御領域９に相当する。第１空調設備１１０に備えられるサーキュレータを停止させる場合、主制御部１０２１は、サーキュレータをオフ状態に設定する制御信号Ｂｃｉｒｃｕ１をサーキュレータに出力する。
【００５５】
以上説明した第２の実施形態の蓄電池システム１によれば、上記のように、蓄電池１０１の温度と第２収容体２０内の温度との双方を監視し、蓄電池１０１の温度がある温度閾値（第１最高温度閾値）以下でありかつ第２収容体２０内の温度と蓄電池１０１の最高温度との差分がある温度閾値（第１差分閾値）を超えた場合に、空気循環部３０を稼働させて、ＰＣＳ２００が動作する際に損失として発生する熱を第２収容体２０から第１収容体１０に移動させる。このため、空調設備等を使用することなく、ＰＣＳ２００が動作する際に発生する熱を有効利用して蓄電池１０１の温度を上昇させ、蓄電池１０１の内部抵抗を下げることができる。また、蓄電池１０１の最高温度と第２収容体２０内の温度と差分と、蓄電池１０１の最高温度との双方に基づいて上記の制御を行うため、ＰＣＳ２００が動作する際に発生する熱の移動を効率的に行うことができる。また、蓄電池１０１の温度を上げるために、空調設備を利用する必要がないため、空調設備を利用する場合に比して電力使用量を低減させることができる。これらの結果、蓄電池システム１の充放電効率を向上させることができる。
【００５６】
また、蓄電池１０１の温度を監視し、ある温度閾値（第２最高温度閾値）を超えた場合に、第１空調設備１１０に備えられたエアコンディショナシステムを冷却設定で稼働させ、蓄電池１０１の温度を低下させることができる。これにより、蓄電池１０１の温度が過度に高くなることを防止することができる。また、蓄電池１０１の温度が、ある温度閾値（第４最高温度閾値）未満でありかつ第２収容体２０内の温度と蓄電池１０１の最低温度との差分がある温度閾値（第２差分閾値）未満である場合に、第１空調設備１１０に備えられたエアコンディショナシステムを加温設定で稼働させ、蓄電池１０１の温度を上昇させることができる。これにより、蓄電池１０１の温度が低下した場合に、蓄電池１０１の温度を迅速に上昇させることができる。なお、第２空調設備２１０は、制御部１０２によって、例えば、第２収容体２０内の温度（Ｔｐｃｓ）が過度に高くなった場合に、第２収容体２０内の温度を低下させるように制御される。
【００５７】
また、蓄電池１０１の最高温度と最低温度との双方を監視し、最高温度と最低温度との差分がある温度閾値（第３差分閾値）を超えた場合に、第１空調設備１１０に備えられたサーキュレータを稼働させることで、蓄電池１０１の温度を効率的に調整することができる。
【００５８】
以下、第２の実施形態における、第１ファン３０１と、第２ファン３１１と、ＰＣＳ２００との物理的配置について説明する。図１に示すように、第２ファン３１１は、第１ファン３０１に対して、鉛直方向に関して上側に配置される。また、ＰＣＳ２００の上部天板２００Ａを起点として、鉛直方向に関して−１ｍよりも上部に第２ファン３１１を配置し、鉛直方向に関してＰＣＳ２００の中央部２００Ｂよりも下部に第１ファン３０１を配置してもよい。第２収容体２０の内部では、ＰＣＳ２００の稼働によって生じる熱により温められた空気が第２収容体２０の上部に移動する。一方、第１収容体１０の内部の温度の低い空気は第１収容体１０の底面付近に移動する。このため、例えば、ＰＣＳ２００の上部天板２００Ａを起点として、鉛直方向に関して−１ｍよりも上部に第２ファン３１１を配置することで、第２収容体２０から第１収容体１０に向けて暖かい空気を効率的に移動させることができる。また、鉛直方向に関してＰＣＳ２００の中央部２００Ｂよりも下部に第１ファン３０１を配置することで、第１収容体１０から第２収容体２０に向けて温度の低い空気を効率的に移動させることが出来る。これにより、第１収容体１０内に収容された蓄電池１０１を効率的に温めることができる。また、ＰＣＳ２００の過熱を防ぐことができる。
【００５９】
以上説明した少なくともひとつの実施形態によれば、蓄電池１０１と、蓄電池１０１に接続され、電力を直流と交流との間で互いに変換するパワーコンディショナ（ＰＣＳ２００）と、蓄電池１０１を収容する第１収容体１０と、パワーコンディショナ（ＰＣＳ２００）を収容する第２収容体２０と、第１収容体１０と第２収容体２０との間で空気を出入りさせる第１空気循環部（空気循環部３０）と、第１収容体１０内で空気を循環させる第２空気循環部（第１空調設備１１０）と、蓄電池１０１の温度を測定する第１温度センサ１０３と、第１温度センサ１０３によって測定された蓄電池１０１の温度が第１閾値未満である場合には、第１空気循環部（空気循環部３０）を稼働させ、蓄電池１０１の温度が、第１閾値よりも高い第２閾値を超える場合には、第２空気循環部（第１空調設備１１０）を稼働させる制御部１０２とを持つことにより、ＰＣＳ２００が動作する際に発生する熱を有効利用して蓄電池１０１の温度を上昇させるため、蓄電池システム１の充放電効率を向上させることができる。
【００６０】
また、蓄電池１０１の温度がある温度閾値を超えた場合に、第１空調設備１１０を稼働させ、蓄電池１０１の温度を低下させるため、蓄電池１０１の温度が過度に高くなることを防止することもできる。
【００６１】
また、以上説明した少なくともひとつの実施形態によれば、複数の蓄電池１０１を含む蓄電池ユニット１００と、複数の蓄電池１０１に接続され、電力を直流と交流との間で互いに変換するパワーコンディショナ（ＰＣＳ２００）と、蓄電池ユニット１００を収容する第１収容体１０と、パワーコンディショナ（ＰＣＳ２００）を収容する第２収容体２０と、蓄電池ユニット１００における複数個所の温度を測定する複数の第１温度センサ１０３と、第２収容体２０内に設けられ、第２収容体内の温度を測定する第２温度センサ２２０と、第１収容体１０と第２収容体２０との間で空気を出入りさせる第１空気循環部（空気循環部３０）と、第１収容体１０内で空気を循環させる第２空気循環部（第１空調設備１１０）と、複数の第１温度センサ１０３によって測定された温度のうちの最高温度または最低温度と第２温度センサ２２０によって測定された温度との差分と、最高温度との双方に基づいて、第１空気循環部（空気循環部３０）および第２空気循環部（第１空調設備１１０）の稼働を制御する制御部１０２と持つことにより、蓄電池１０１の温度と第２収容体２０内の温度との双方を監視し、ＰＣＳ２００が動作する際に発生する熱を有効利用して蓄電池１０１の温度を上昇させるため、蓄電池システム１の充放電効率を向上させることができる。
【００６２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６３】
１…蓄電池システム、１０…第１収容体、２０…第２収容体、３０…空気循環部、１００…蓄電池ユニット、１０１…蓄電池、１０２…制御部、１０３…第１温度センサ、１０４…ＢＭＵ、１１０…第１空調設備、１２０−１から１２０−ｎ…蓄電池サブユニット、２００…ＰＣＳ、２１０…第２空調設備、２２０…第２温度センサ、３００…第１空気供給部、３０１…第１ファン、３０２…第１ダンパー、３０３…第１孔部、３１０…第２空気供給部、３１１…第２ファン、３１２…第２ダンパー、３１３…第２孔部、４００…ＰＶ、５００…電力系統、６００…負荷、１０２０…前処理部、１０２１…主制御部
【図１】
0006622057.tif 000002
【図２】
0006622057.tif 000003
【図３】
0006622057.tif 000004
【図４】
0006622057.tif 000005
【図５】
0006622057.tif 000006
【図６】
0006622057.tif 000007
【図７】
0006622057.tif 000008
【図８】
0006622057.tif 000009
【図９】
0006622057.tif 000010
【図１０】
0006622057.tif 000011
【図１１】
0006622057.tif 000012
【図１２】
0006622057.tif 000013